(57)【特許請求の範囲】
【請求項１】
ブロック成形型に無機顔料によって着色した異色又は同色濃淡の複数色のモルタル材をそれぞれ部分的に投入配置して充填し，該ブロック成形型に振動を与えることによって複数色のモルタル材境界部分を混和した後，該モルタル材を養生硬化して形成し，そのべース端面を相互に突合せ対接することにより面状に敷設して床面を形成自在としたブロックであって，それぞれべースの表面に着色モルタルにより突出形成した複数の割石状突出部とその間に凹陥形成した目地仕上げ溝とによる乱張り敷石パタン部を備えるとともに上記割石状突出部の形状を変化することにより該乱張り敷石パタン部のパタンを異ならしめた同一形状複数パタンによる複数種とし且つ該複数種の各表面周端の端縁部分の全部又は大部分に目地仕上げ溝を配置し上記相互の突合せ対接の継目部分を目地仕上材によって被覆自在としてなることを特徴とする乱張り敷石調床面形成ブロック。
【請求項２】
ブロック成形型における下面のパタン形成型部に無機顔料によって着色した異色又は同色濃淡の複数色のモルタル材をそれぞれ部分的に投入配置し，該ブロック成形型に振動を与えることにより複数色のモルタル材境界部分を混和し，次いで該モルタル材に密着するようにブロック成形型に発泡合成樹脂パネル，モルタルパネル等のべースパネルを嵌め込み装着した後，該モルタル材を養生硬化して形成し，そのべース端面を相互に突合せ対接することにより面状に敷設して床面を形成自在としたブロックであって，それぞれべースの表面に着色モルタルにより突出形成した複数の割石状突出部とその間に凹陥形成した目地仕上げ溝とによる乱張り敷石パタン部を備えるとともに上記割石状突出部の形状を変化することにより該乱張り敷石パタン部のパタンを異ならしめた同一形状複数パタンによる複数種とし，且つ該複数種の各表面周端の端縁部分の全部又は大部分に目地仕上げ溝を配置し上記相互の突合せ対接の継目部分を目地仕上材によって被覆自在としてなることを特徴とする乱張り敷石調床面形成ブロック。
【請求項３】
上記ブロックを床面形成用の基本ブロックとし，１側を該基本ブロックのべースの端面と他の２側を相互にそれぞれ突合せ対接自在とし，単一又は複数種の上記と同様の乱張り敷石パタン部を備え且つ上記対接する側における表面の端縁部分に上記と同様の目地仕上げ溝を配置して上記と同様に形成した縁石用の縁石ブロックを追加的に備えてなることを特徴とする請求項１又は２に記載の乱張り敷石調床面形成ブロック。
【請求項４】
上記基本ブロックと縁石形成ブロックに加えて，隣接２側のべースを上記縁石ブロックとそれぞれ突合せ対接自在とし，単一又は複数種の上記と同様の乱張り敷石パタン部を備え且つ上記対接する側における表面の端縁部分に上記と同様の目地仕上げ溝を配置して上記と同様に形成したコーナー用のコーナーブロックを追加的に備えてなることを特徴とする請求項３に記載の乱張り敷石調床面形成ブロック。
【請求項５】
上記べースの端面の突合せ対接を，該べースの端面に形成した嵌合部の嵌合による突合せ対接とし且つ嵌合部をべースの方向を変化して嵌合可能に形成してなることを特徴とする請求項１，２，３又は４に記載の乱張り敷石調床面形成ブロック。
【請求項６】
上記べースを，平面正方形を基本形とし，対向又は隣接端部にそれぞれ一方を突出部とし，他方を該突出部を受入嵌合する凹陥部とした嵌合部を形成することにより上記方向を変化した突合せ対接を可能とするとともに上記嵌合部の嵌合状態で正方形をなすように形成してなることを特徴とする請求項１，２，３，４又は５に記載の乱張り敷石調床面形成ブロック。
【請求項７】
乱張り敷石パタン部に応じたパタン形成型部を下面に備えたブロック成形型を用い，該ブロック成形型に無機顔料によって着色した異色又は同色濃淡の複数色のモルタル材をそれぞれ部分的に投入配置して充填し，該ブロック成形型に振動を与えることにより複数色のモルタル材境界部分を混和した後，該モルタル材を養生硬化することを特徴とする乱張り敷石調床面形成ブロックの生産方法。
【請求項８】
乱張り敷石パタン部に応じたパタン形成型部を下面に備えたブロック成形型を用い，該ブロック成形型のパタン形成型部に無機顔料によって着色した異色又は同色濃淡の複数色のモルタル材をそれぞれ部分的に投入配置し，該ブロック成形型に振動を与えることにより複数色のモルタル材境界部分を混和し，次いで該モルタル材に密着するようにブロック成形型に発泡合成樹脂パネル，モルタルパネル等のべースパネルを嵌め込み装着した後，該モルタル材を養生硬化することを特徴とする乱張り敷石調床面形成ブロックの生産方法。
【請求項９】
上記乱張り敷石パタン部に応じたパタン形成型部を，天然の割石を配置して型取りすることによって形成したブロック成形型を用いることを特徴とする請求項７又は８に記載の乱張り敷石調床面形成ブロックの生産方法。
【発明の詳細な説明】
【０００１】
【発明の属する技術分野】
本発明は，玄関のアプローチ，屋外テラスの床，室内ホールの床等に乱張り敷石調の床面を形成するに用いる乱張り敷石調床面形成ブロック及びその生産方法に関する。
【０００２】
【従来の技術及び発明が解決しようとする課題】
この種乱張り敷石調の床面は，天然の割石を湿式工法によって敷設して形成するものとされており，この場合割石の配置が十分に考慮された外観の良い床面を構成し得るが，熟練した技能者を必要とし，湿式であるために，工期が長くなる傾向がある。
【０００３】
一方これを乾式工法によるものとすること，このために例えばべースに天然の割石を張設したブロック（パネル）とすることが考えられるが，この場合所定の大きさ，形状のべースに対してそれぞれ形状の異なる天然の割石を割付して固定しなければならず，その作業が煩雑で，生産効率を確保し難く，工場生産品として量産するのに適さないし，更に敢えてこれを行なうとしても，割石の割付は，べースの端部やコーナーを基準位置とするのが一般的となるから，乾式工法によって床面を形成した場合，例えば隣接するべースの割石が連続状に対接したり，この種割石の乱張りにおいて避けるべき通し目地が随所に発生したり，更にブロック間に突合せの継目が露出したりして，上記湿式工法によるものに比して，見栄えが劣り，外観を確保し得ないという結果を招き易く，従ってこの種乱張り敷石調の床面を乾式工法によって形成することは，一般に極めて困難である。
【０００４】
本発明はかかる事情に鑑みてなされたもので，その解決課題とするところは，工場生産に適して比較的低コストに生産でき，簡易な乾式工法によって乱張り敷石調の床面を確実に形成することができ，現場で割石の配置を行なう湿式工法で施工したのと同じように良好な外観を確保することができる乱張り敷石調床面形成ブロックを提供するにあり，また可及的に天然の割石の色調を有して，乱張り敷石調床面形成に好適な該ブロックの生産方法を提供するにある。
【０００５】
【課題を解決するための手段】
上記課題に沿って本発明は，上記床面形成用のブロック（ブロック状パネル，パネル等といってもよい）を提供するように，方向を変化可能として相互に突合せ対接するようにした同一形状のべースの表面に，着色モルタルによる割石を張設したような乱張り敷石パタン部を形成して，これを天然の割石に代わる表面構造とするとともに該乱張り敷石パタン部を複数種とすることによって，複数種のパタンとその方向の変化の組合せの乾式工法により，湿式工法の割石張設と同様又はこれに近いバラエテイに富んだ敷石配置を確保するとともに上記敷石パタン部を乱張り調のものとすることにより，可及的に上記通し目地の発生を防止するようにする一方，複数種の各パタンがそれぞれその表面周端の端縁部分（その全部又は大部分）に目地仕上げ溝を共通に有するようにすることによって，上記相互の突合せ対接によって生じる継目部分を該目地仕上げ溝に充填する目地仕上材によって目隠しして，その露出を防止するようにしたものであって，即ち請求項１に記載の発明を，ブロック成形型に無機顔料によって着色した異色又は同色濃淡の複数色のモルタル材をそれぞれ部分的に投入配置して充填し，該ブロック成形型に振動を与えることによって複数色のモルタル材境界部分を混和した後，該モルタル材を養生硬化して形成し，そのべース端面を相互に突合せ対接することにより面状に敷設して床面を形成自在としたブロックであって，それぞれべースの表面に着色モルタルにより突出形成した複数の割石状突出部とその間に凹陥形成した目地仕上げ溝とによる乱張り敷石パタン部を備えるとともに上記割石状突出部の形状を変化することにより該乱張り敷石パタン部のパタンを異ならしめた同一形状複数パタンによる複数種とし且つ該複数種の各表面周端の端縁部分の全部又は大部分に目地仕上げ溝を配置し上記相互の突合せ対接の継目部分を目地仕上材によって被覆自在としてなることを特徴とする乱張り敷石調床面形成ブロックとし，請求項２に記載の発明を，ブロック成形型における下面のパタン形成型部に無機顔料によって着色した異色又は同色濃淡の複数色のモルタル材をそれぞれ部分的に投入配置し，該ブロック成形型に振動を与えることにより複数色のモルタル材境界部分を混和し，次いで該モルタル材に密着するようにブロック成形型に発泡合成樹脂パネル，モルタルパネル等のべースパネルを嵌め込み装着した後，該モルタル材を養生硬化して形成し，そのべース端面を相互に突合せ対接することにより面状に敷設して床面を形成自在としたブロックであって，それぞれべースの表面に着色モルタルにより突出形成した複数の割石状突出部とその間に凹陥形成した目地仕上げ溝とによる乱張り敷石パタン部を備えるとともに上記割石状突出部の形状を変化することにより該乱張り敷石パタン部のパタンを異ならしめた同一形状複数パタンによる複数種とし，且つ該複数種の各表面周端の端縁部分の全部又は大部分に目地仕上げ溝を配置し上記相互の突合せ対接の継目部分を目地仕上材によって被覆自在としてなることを特徴とする乱張り敷石調床面形成ブロックとし，請求項３及び４に記載の発明は，上記に加えて，それぞれ乱張り敷石調床面形成ブロックの形態を，基本ブロックと縁石ブロック又はこれにコーナーブロックを加えたものとすることにより，床面形成に際して良好な納まりを確保し得る設置位置（用途）に合わせた複数形態のブロックとするように，請求項３に記載の発明を，上記ブロックを床面形成用の基本ブロックとし，１側を該基本ブロックのべースの端面と他の２側を相互にそれぞれ突合せ対接自在とし，単一又は複数種の上記と同様の乱張り敷石パタン部を備え且つ上記対接する側における表面の端縁部分に上記と同様の目地仕上げ溝を配置した縁石用の縁石ブロックを追加的に備えてなることを特徴とする請求項１又は２に記載の乱張り敷石調床面形成ブロック，請求項４に記載の発明を，上記基本ブロックと縁石形成ブロックに加えて，隣接２側のべースを上記縁石ブロックとそれぞれ突合せ対接自在とし，単一又は複数種の上記と同様の乱張り敷石パタン部を備え且つ上記対接する側における表面の端縁部分に上記と同様の目地仕上げ溝を配置したコーナー用のコーナーブロックを追加的に備えてなることを特徴とする請求項３に記載の乱張り敷石調床面形成ブロックとし，請求項５に記載の発明は，同じく上記に加えて，ブロックの敷設に際して相互の位置決めを行い，またその位置ずれを防止して，施工を容易化するように，これを，上記べースの端面の突合せ対接を，該べースの端面に形成した嵌合部の嵌合による突合せ対接とし且つ嵌合部をべースの方向を変化して嵌合可能に形成してなることを特徴とする請求項１，２，３又は４に記載の乱張り敷石調床面形成ブロックとし，請求項６に記載の発明は，同じく上記に加えて，施工性を良好にし，床面面積に対する適合性を向上するように，これを，上記べースを，平面正方形を基本形とし，対向又は隣接端部にそれぞれ一方を突出部とし，他方を該突出部を受入嵌合する凹陥部とした嵌合部を形成することにより上記方向を変化した突合せ対接を可能とするとともに上記嵌合部の嵌合状態で正方形をなすように形成してなることを特徴とする請求項１，２，３，４又は５に記載の乱張り敷石調床面形成ブロックとし，一方請求項７及び８に記載の発明は，上記課題に沿って，可及的に天然の割石の色調を有して，乱張り敷石調床面形成に好適な該ブロックの生産方法を提供するように，請求項７に記載の発明を，乱張り敷石パタン部に応じたパタン形成型部を下面に備えたブロック成形型を用い，該ブロック成形型に無機顔料によって着色した異色又は同色濃淡の複数色のモルタル材をそれぞれ部分的に投入配置して充填し，該ブロック成形型に振動を与えることにより複数色のモルタル材境界部分を混和した後，該モルタル材を養生硬化することを特徴とする乱張り敷石調床面形成ブロックの生産方法，請求項８に記載の発明を，乱張り敷石パタン部に応じたパタン形成型部を下面に備えたブロック成形型を用い，該ブロック成形型のパタン形成型部に無機顔料によって着色した異色又は同色濃淡の複数色のモルタル材をそれぞれ部分的に投入配置し，該ブロック成形型に振動を与えることにより複数色のモルタル材境界部分を混和し，次いで該モルタル材に密着するようにブロック成形型に発泡合成樹脂パネル，モルタルパネル等のべースパネルを嵌め込み装着した後，該モルタル材を養生硬化することを特徴とする乱張り敷石調床面形成ブロックの生産方法とし，請求項９に記載の発明は，上記に加えて，乱張り敷石パタンの質感を向上するように，これを，上記乱張り敷石パタン部に応じたパタン形成型部を，天然の割石を配置して型取りすることによって形成したブロック成形型を用いることを特徴とする請求項７又は８に記載の乱張り敷石調床面形成ブロックの生産方法とし，これらをそれぞれ発明の要旨として，上記課題解決の手段としたものである。
【０００６】
本発明において，モルタル又はモルタル材とは，これに骨材を加えたコンクリート又はコンクリート材を含む意味に用いる。
【０００７】
【発明の実施の形態】
以下図面の例に従って本発明を更に具体的に説明すれば，Ａは床面形成用のブロックであり，該ブロックＡは，本例において床面形成用の基本ブロックＡ１，縁石用の縁石ブロックＡ２及びコーナー用のコーナーブロックＡ３の各用途別のものを備えたものとしてある。
【０００８】
上記基本ブロックＡ１は，これをべース１の端面を該べース１を相互に突合せ対接することにより面状に敷設して床面を形成自在としたブロックであって，それぞれべース１の表面に着色モルタルにより突出形成した複数の割石状突出部５とその間に凹陥形成した目地仕上げ溝６とによる乱張り敷石パタン部４を備えるとともに上記割石状突出部５の形状を変化することにより該乱張り敷石パタン部４のパタンを異ならしめた同一形状複数パタンによる複数種とし，且つ該複数種の各表面周端の端縁部分の全部又は大部分に目地仕上げ溝６を配置し上記相互の突合せ対接の継目部分を目地仕上材によって被覆自在としたものとし，縁石ブロックＡ２は，これを１側を上記基本ブロックＡ１のべース１の端面と他の２側を相互にそれぞれ突合せ対接自在とし，単一又は複数種の上記と同様の乱張り敷石パタン部４を備え且つ上記対接する側における表面の端縁部分に上記と同様の目地仕上げ溝６を配置したものとし，コーナーブロックＡ３は，これを隣接２側のべース１を上記縁石ブロックＡ２とそれぞれ突合せ対接自在とし，単一又は複数種の上記と同様の乱張り敷石パタン部４を備え且つ上記隣接する側おける表面の端縁部分に上記と同様の目地仕上げ溝６を配置したものとしてある。
【０００９】
即ち本例のブロックＡは，いずれもべース１と該べース１上表面の乱張り敷石パタン部４を共通に備えたものとしてあり，このときべース１は，これを合成樹脂発泡パネル，別途成形のモルタルパネル等のべースパネル，本例において，床面敷設の状態で適宜の弾性を備えて表面の乱張り敷石パタン部４に対する衝撃を吸収してブロックＡの耐衝撃性を向上するように，例えば発泡倍率を３０倍としたポリスチレン樹脂の，合成樹脂発泡パネルのべースパネルによるものとし，その表面の乱張り敷石パタン部４を該べースパネルに対してモルタル成形して一体に形成したものとしてあり，またこれらべースパネルによって形成したべース１は，特に基本ブロックＡ１において，平面正方形を基本形とし，対向又は隣接端部にそれぞれ一方を突出部とし，他方を該突出部を受入嵌合する凹陥部とした嵌合部２を形成することにより上記突合せ対接を可能とするとともに上記嵌合部２の嵌合状態で正方形をなすように形成したものとし，縁石ブロックＡ２において，例えば基本ブロックＡ１の１／２の幅に設定した，平面長方形を基本形とし，長辺側の一方の端部を直線の辺とするとともに他方の端部に上記基本ブロックＡ１の嵌合部２と嵌合自在の突出部又は凹陥部とした嵌合部２を形成することにより，該基本ブロックＡ１に嵌合してこれと嵌合による突合せ対接を可能とし，また短辺側の対向端部に，本例において位置決め用に小突出部と小凹陥部とした小嵌合部３を有して相互に突合せ対接を可能とした，上記基本ブロックＡ１との嵌合状態で長方形をなすように形成した，本例において上記嵌合部２の形態により２種類とし，それぞれ基本ブロックＡ１の外周の縁部にあって，その縁取りを行なうものとし，またコーナーブロックＡ３において，例えば縁石ブロックＡ２の１／２の縦横幅に設定した，平面正方形を基本形とし，その隣接端部の一方を直線の辺とするとともに他方にそれぞれ一方を小突出部とし，他方を小凹陥部とした小嵌合部３を形成することにより，該縁石ブロックＡ２に嵌合してこれと嵌合による突合せ対接を可能とし，縁石ブロックＡ２との嵌合状態で正方形をなすように形成した，縁石ブロックＡ２の延長線上のコーナーにあって，これを埋めるものとしてあり，このとき基本，縁石，コーナーの各ブロックＡは，共に同一の厚さ，例えば３cm乃至７cm程度の厚さを有する上記べースパネルを用いることによって，上記突合せ対接に際してブロックＡ間に段差等が生じることなく相互に平坦となるようにしてある。
【００１０】
べース１表面の乱張り敷石パタン部４は，これを上記割石状突出部５と，その間の目地仕上げ溝６と，表面周端の端縁部分の目地仕上げ溝６とを備えた複数種のパタンによるものとしてあり，本例のブロックＡは，基本ブロックＡ１において，割石状突出部５の形状や数を変えた異形状にして異数として，べース１に多数を乱張り状に配置することによって複数種，本例にあっては２種のパタンをなすようにし，縁石ブロックＡ２において，上記嵌合部３の形態によって２種とした各べース１毎に同一形状として同数を乱張り状に配置することによって，べース１の形態に応じて異形状にして異数とした複数種，本例にあって２種のパタンをなすようにし，コーナーブロックＡ３において同一形状として複数の同数を同じく乱張り状に配置することによって単一種のパタンをなすようにしたものとしてあり，また目地仕上げ溝６は，上記割石状突出部５の間とその外側に配置してあり，基本ブロックＡ１において，各割石状突出部５の間とその外側の上記表面周端の端縁部分の全部又は大部分に，割石状突出部５を囲繞するように配置し，縁石ブロックＡ２及びコーナーブロックＡ３において，各割石状突出部５の間とその外側の，それぞれ他のブロックＡと対接する側の複数の辺，即ち縁石ブロックＡ２にあっては，上記基本ブロックＡ１と対接し，またコーナーブロックＡ３と対接する３辺の端縁部分に，コーナーブロックＡ３にあっては，縁石ブロックＡ２と対接する隣接２辺の端縁部分に，それぞれその全部又は大部分に配置して形成したものとしてあり，これら割石状突出部５間の目地仕上げ溝６と端縁部分の目地仕上げ溝６は，それぞれ後述の床面の形成に際して，目地仕上材１０によって割石状突出部５と同一面をなす目地仕上げを行なうものとしてある。
【００１１】
以上のように複数種又は単一種のパタンの乱張り敷石パタン部４を有する本例のブロックＡは，基本ブロックＡ１を，同一形状のべース１に対して２種のパタンによって，同一形状２種の合計２種類，縁石ブロックＡ２を，２種のべースに対して各単一のパタンによって，異形状１種の合計２種類，コーナーブロックＡ３を同一形状のべース１に対して単一のパタンの合計１種類とした，全部で５種類のものを備えて構成したものとしてある。
【００１２】
ブロックＡは，上記べースパネルによるべース１の表面に上記着色モルタルによって乱張り敷石パタン部４を形成したものとしてあるが，このとき該乱張り敷石パタン部４，特にその割石状突出部５は，これを一般に敷石として用いられる，例えば鉄さび色乃至暗褐色を呈する安山岩等天然石の割石によって形成したと同様の外観を有するように，該鉄さび色乃至暗褐色に合わせて無機顔料をモルタルに配合した着色モルタルを用いて形成してあり，このとき本例にあっては，更に天然石の色調の変化や色模様（色むら）を再現して，可及的に天然石としての質感を有するようにしたものとしてあり，そのために本例のブロックＡにあっては，その上記乱張り敷石パタン部４を，無機顔料によって着色した異色又は濃淡の複数色のモルタルによって構成したもの，即ち乱張り敷石パタン部４が，濃淡部分や色違い部分を部分的に有する形態に着色モルタルを用いて構成したものとしてある。
【００１３】
即ちこの点を含めてブロックＡの形成を，その生産方法によって説明すれば，ブロックＡは，乱張り敷石パタン部４に応じたパタン形成型部８を下面に備えたブロック成形型７を用い，該ブロック成形型７のパタン形成型部８に無機顔料によって着色した異色又は同色濃淡の複数色のモルタル材９をそれぞれ部分的に投入配置し，該ブロック成形型７に振動を与えることにより複数色のモルタル材９境界部分を混和し，次いで該モルタル材９に密着するようにブロック成形型７に発泡合成樹脂パネル，モルタルパネル等のべースパネルによるべース１を嵌め込み装着した後，該モルタル材９を養生硬化することによって形成したものとしてあり，このとき上記乱張り敷石パタン部４に応じたパタン形成型部８を，天然の割石を配置して型取りすることによって形成したブロック成形型７を用いたものとし，上記乱張り敷石パタン部４の質感を更に忠実に再現し，質感をより向上するようにしてある。
【００１４】
即ち本例にあってブロック成形型７は，例えば軟質のゴム，シリコン，樹脂等の軟質材により，相互の間及びその上記端縁部分を開けて空隙とした天然の割石配置状態で，これを軟質材に型取りし，割石状突出部５を凹陥部分，上記空隙を上記目地仕上げ溝６に相当する突出リブ部分としたパタン形成型部８を底側の下面に備え，且つ縁高さを上記べースの厚みを加えたブロックＡ高さとした，本例において上記５種類の各ブロックＡ毎の専用のものとし，このブロック成形型７を用いて，上記突出リブ部分よりやや上方位置までモルタル材９を投入し，その上方に，別途成形し又は板取りした，上記べース１を載置するように嵌め込み装着し，モルタル材９に該べース１を圧着するように加圧押圧し，所定の期間そのままの状態に維持して，モルタル材９を養生硬化させることによって成形を行なうものとしてあり，このときモルタル材９の供給を，無機顔料の添加量を変化し又は無機顔料の色を変化することにより，濃度を変えた同色濃淡又は色を変えた異色のモルタル材９毎に，これを上記パタン形成型部８に対して部分的に投入するものとし，然る後にブロック成形型７を，例えばバイブレーターのテーブル上に載置して，該バイブレーターを作動させることによって，ブロック成形型７に振動を与え，該振動で上記同色濃淡又は異色のモルタル材９の境界部分を馴染ませて，一方から他方に濃淡又は色の変化を無段階的にして，色調の境界が出現するのを防止し，色調において天然の上記安山岩と同様にして，これに極めて近似したものとするようにしてある。
【００１５】
モルタル材９は，セメント，砂，水に無機顔料を添加したもの（これに骨材を入れてコンクリート材としたものでもよい）を用い，例えばＪＩＳ  Ａ  １１０１のスランプ試験におけるスランプ値を２０±５cm，好ましくは２０±３cmとするのが，上記モルタル材の投入と振動による境界発生の防止に有効であり，また上記無機顔料は，５重量％以下，好ましくは３±１重量％とするのが，天然の安山岩等天然石の色調を再現するのに有効である。
【００１６】
即ち上記スランプ値が２５cmを超えるとモルタル材９が硬くなりすぎ，振動による境界発生の防止が好ましい状態になし得ず，濃淡又は色の変化が出現することがあり，１５cmを下回るとモルタル材９が軟らかくなりすぎ，モルタル材９の混合が進みすぎて，好ましい色調を得難くなり，これらを考慮すると上記２０±３cmとするのが，天然石を再現するブロックＡとして好ましく，一方無機顔料は５重量％を超えると色調が濃くなりすぎ，２重量％を下回ると色調が薄すぎて上記濃淡について特に部分的に少量使用する場合は別として，一般に天然石の色調を得るのに適当ではなくなり，これらを考慮すると上記３±１重量％とするのが，同じく天然石を再現するブロックＡとして好ましい。
【００１７】
本例のブロックＡは，例えば玄関のアプローチ，屋外テラスの床，室内ホールの床等に乱張り敷石調の床面Ｂを乾式工法で形成するに用いるものとしてあり，該床面の外周側に縁石ブロックＡ２を，コーナーにコーナーブロックＡ３を用い，これらに囲繞される内側に基本ブロックＡ１を用いるように配置して該床面を形成すればよく，このとき上記べースの嵌合部２，本例では更に小嵌合部３を相互に嵌合して，べース１の突合せ対接を行なうように所定位置に敷設設置するものとし，基本ブロックＡ１にあっては，上記嵌合の突合せ対接が可能であるかぎり，適宜に方向を変えて配置し，該床面の大部分において乱張りの状態の敷石面を形成するようにすればよく，各ブロックＡの配置後に乱張り敷石パタン部４間及び各端縁部分の目地仕上げ溝６に目地仕上材１０，例えば白色等適宜の着色モルタルを充填して，目地仕上げを行なうようにするものとしてあり，該目地仕上げによって，ブロックＡ同士の上記嵌合の突合せ対接に伴う継目が覆われて，これが床面Ｂ表面に露出することがなくなり，従って本例のブロックＡによる床面は天然石の，例えば上記安山岩を用いて湿式工法で施工したのと同じように天然石の敷石調にして，極めて良好な外観のものとなるに至る。
【００１８】
図示した例は以上のとおりとしたが，乱張り敷石調床面形成ブロックの形成を，ブロック成形型に無機顔料によって着色した異色又は同色濃淡の複数色のモルタル材をそれぞれ部分的に投入配置して充填し，該ブロック成形型に振動を与えることによって複数色のモルタル材境界部分を混和した後，該モルタル材を養生硬化して行うものとし，またこの生産方法を採用すること，上記縁石ブロックやコーナーブロックを用いることなく基本ブロックを床面形成用のブロックとして，これのみによって床面を形成するようにすること，このとき必要に応じて外周に位置する基本ブロックの端縁部分に目地材を用いて，端縁を目地仕上げして，その露出を防止するようにすること，上記コーナーブロックを用いることなく基本ブロックと縁石ブロックを床面形成用のブロックとして，これらによって床面を形成するようにすること，これらによる場合を含めて，ブロックの形状を正方形，長方形，三角形，台形等適宜の形状とし又はこれらの組合せとすること，べースの端面の突合せ対接を垂直直線の端面によるべース方向を変化して行なうものとすること，べースの端面の突合せ対接を，該べースの端面に形成した嵌合部の嵌合による突合せ対接とし且つ嵌合部をべースの方向を変化して嵌合可能に形成したものとし，このとき嵌合部を相互に嵌合自在の適宜形状の凹凸を連続形成したものとすること，べースと該べースの表面の乱張り敷石パタン部を，モルタルによって一体に成形して構成したものとする生産方法を，必要に応じて乱張り敷石パタンに応じたパタン形成型部を下面に備えたブロック成形型を用い，該ブロック成形型に無機顔料によって着色した異色又は同色濃淡の複数色のモルタル材をそれぞれ部分的に投入配置して充填し，該ブロック成形型に振動を与えることにより複数色のモルタル材境界部分を混和した後，該モルタル材を養生硬化するようにすること等を含めて，本発明の実施に当って，床面形成用ブロック，そのべース，乱張り敷石パタン部，目地仕上げ溝等の各具体的材質，形状，構造，種類，寸法，数，これらの関係，これらに対する付加，生産方法等は，上記発明の要旨に反しない限り，様々な態様のものとすることができる。
【００１９】
【発明の効果】
本発明は以上のとおりに構成したので，請求項１及び２に記載の発明は，それぞれ複数種のパタンとその方向の変化の組合せの乾式工法により，湿式工法の割石張設と同様又はこれに近いバラエテイに富んだ敷石配置を確保するとともに上記敷石パタン部を乱張り調のものとすることにより，可及的に通し目地の発生を防止するようにする一方，複数種の各パタンがそれぞれその表面周端の端縁部分（その全部又は大部分）に目地仕上げ溝を共通に有するようにすることによって，上記相互の突合せ対接によって生じる継目部分を該目地仕上げ溝に充填する目地仕上材によって目隠しして，その露出を防止するようにすることにより，工場生産に適して比較的低コストに生産でき，簡易な乾式工法によって乱張り敷石調の床面を確実に形成することができ，現場で割石の配置を行なう湿式工法で施工したのと同じように良好な外観を確保することができる乱張り敷石調床面形成ブロックを提供することができる。
【００２０】
請求項３及び４に記載の発明は，上記に加えて，それぞれ乱張り敷石調床面形成ブロックの形態を，基本ブロックと縁石ブロック又はこれにコーナーブロックを加えたものとすることにより，床面形成に際して良好な納まりを確保し得る設置位置（用途）に合わせた複数形態のブロックとし，床面形成を容易化するとともにブロックの納まりを良好なものとすることができ，請求項５に記載の発明は，同じく上記に加えて，ブロックの敷設に際して相互の位置決めを行い，またその位置ずれを防止して，施工を容易化することができ，請求項６に記載の発明は，同じく上記に加えて，施工性を良好にし，床面面積に対する適合性を向上し，納まりのよいものとすることができる。
【００２１】
請求項７及び８に記載の発明は，可及的に天然の割石の色調を有して，乱張り敷石調床面形成に好適な該ブロックの生産方法を提供することができ，請求項９に記載の発明は，上記に加えて，乱張り敷石パタンの質感を向上するものとすることができる。
【図面の簡単な説明】
【図１】各ブロック及びその関係を示す斜視図である。
【図２】床面のブロック配置の状態を示す乱張り敷石パタン部の図示を省略した平面図である。
【図３】床面のブロック配置の状態を示す部分平面図である。
【図４】ブロック同士の関係を示す部分縦断面図である。
【図５】基本ブロックのべースを示す平面図である。
【図６】一方の縁石ブロックのべースを示す平面図である。
【図７】他方の縁石ブロックのべースを示す平面図である。
【図８】コーナーブロックのべースを示す平面図である。
【図９】生産方法におけるモルタル材投入の状態を示す斜視図である。
【図１０】生産方法におけるべース装着の状態を示す斜視図である。
【符号の説明】
Ａ  ブロック
Ａ１  基本ブロック
Ａ２  縁石ブロック
Ａ３  コーナーブロック
１  べース
２  嵌合部
３  小嵌合部
４  乱張り敷石パタン部
５  割石状突出部
６  目地形成溝
７  ブロック成形型
８  パタン形成型部
９  モルタル材
１０  目地形成材
【図１】
0003784970.tif 000002
【図２】
0003784970.tif 000003
【図３】
0003784970.tif 000004
【図４】
0003784970.tif 000005
【図５】
0003784970.tif 000006
【図６】
0003784970.tif 000007
【図７】
0003784970.tif 000008
【図８】
0003784970.tif 000009
【図９】
0003784970.tif 000010
【図１０】
0003784970.tif 000011